(57)【要約】【課題】  異なる無線通信規格に準拠した複数の無線通信部を介してデータ転送を行う場合に、１つのデジタルデータを余分な処理を必要とせずに効率よく転送可能とする。【解決手段】  画像入力装置１５及びＰＣ１６間で、異なる無線通信規格に準拠した２つの無線通信部を介してデータ転送を行う際に、１つのデジタルデータ（Ａ）に対して、一方の無線通信部ではデジタルデータ（Ａ）の前側からパケット単位で順次送信を行い、他方の無線通信部ではデジタルデータ（Ａ）の後側からパケット単位で順次送信する。【選択図】  図２
2007049606.tif 000002
【特許請求の範囲】
【請求項１】
データ送信装置及びデータ受信装置間で、異なる無線通信規格に準拠した２つの無線通信部を介してデータ転送を行うデータ転送方法であって、
前記データ送信装置では、１つのデジタルデータに対して、一方の無線通信部では前記デジタルデータの前側からパケット単位で順次送信を行い、他方の無線通信部では前記デジタルデータの後側からパケット単位で順次送信することを特徴とするデータ転送方法。
【請求項２】
前記データ送信装置では、前記２つの無線通信部での送信を、前記２つの無線通信部の転送速度の比率に基づいてそれぞれ終了することを特徴とする請求項１に記載のデータ転送方法。
【請求項３】
前記データ受信装置では、１つのデジタルデータに対してその前側及び後側からパケット単位で順次データ転送を行うことを特徴とする請求項１又は２に記載のデータ転送方法。
【請求項４】
データ送信装置及びデータ受信装置間で、異なる無線通信規格に準拠したｎ個（ｎは２の倍数）の無線通信部を介してデータ転送を行うデータ転送方法であって、
前記データ送信装置では、前記ｎ個のうち２つの無線通信部を一組とし、１つのデジタルデータに対して、一方の無線通信部では前記デジタルデータの前側からパケット単位で順次送信を行い、他方の無線通信部では前記デジタルデータの後側からパケット単位で順次送信するようにし、前記ｎ個の無線通信部を介してｎ/２個のデジタルデータを並列的にデータ転送する構成にしたことを特徴とするデータ転送方法。
【請求項５】
データ受信装置に対して、異なる無線通信規格に準拠した２つの無線通信部を介してデータ転送を行うデータ送信装置であって、
１つのデジタルデータに対して、一方の無線通信部では前記デジタルデータの前側からパケット単位で順次送信を行い、他方の無線通信部では前記デジタルデータの後側からパケット単位で順次送信することを特徴とするデータ送信装置。
【請求項６】
データ送信装置及びデータ受信装置間で、異なる無線通信規格に準拠した２つの無線通信部を介してデータ転送を行うデータ転送システムであって、
前記データ送信装置が、１つのデジタルデータに対して、一方の無線通信部では前記デジタルデータの前側からパケット単位で順次送信を行い、他方の無線通信部では前記デジタルデータの後側からパケット単位で順次送信することを特徴とするデータ転送システム。
【発明の詳細な説明】
【技術分野】
【０００１】
本発明は、異なる無線通信規格に準拠した複数の無線通信部を介してデータ転送を行うデータ転送方法、データ送信装置、及びデータ転送システムに関する。
【背景技術】
【０００２】
従来、無線ＬＡＮ装置等の通信装置間でデータ転送をしようとする場合、同時に使用できる通信回線は１回線のみであり、１つのデジタルデータは１回線により転送されていた。そのため、最大でも通信に使用する１つの無線通信規格に依存した転送速度でしかデータを転送することしかできず、それ以上の転送速度は望めなかった。
【０００３】
また、従来の並列的なデータ転送方法には、複数のデータ伝送路を介して１つのデジタルデータをデータ転送速度の比率に応じて予め分割し、並列的に転送するものがある（特許文献１参照）。
【０００４】
また、複数チャネルを介して、１つのデジタルデータに対しチャネルごとにパケットデータの順序を変えて転送するものがある（特許文献２参照）。
【０００５】
また、複数の複数チャネルを介して、１つのデジタルデータに対し管理情報を付加したパケットを並列に転送し、その管理情報に基づいて結合するデータ転送方法がある(特許文献３参照)。
【０００６】
【特許文献１】特開平８−３１４８２１号公報
【特許文献２】特開２０００−３０７６１８号公報
【特許文献３】特開平５−３５６２４号公報
【発明の開示】
【発明が解決しようとする課題】
【０００７】
しかしながら、特許文献１に記載されたデータ転送方法では、データ転送速度の比率に応じて予めデジタルデータを分割する必要がある。そのため、転送速度が環境によって頻繁に変化してしまう無線通信等には都合が悪く、通信環境による影響が大きい。また、受信後に分割されたデータを結合するためにデータフォーマットの変更が必要であり、それに応じた処理が必要であるため効率が悪くなってしまう。
【０００８】
特許文献２に記載されたデータ転送方法では、各チャネルごとにパケットデータの順序を変えて送信するが、重複してデータを送信するため、結果的に信頼性の向上を図ることができるが、転送効率は悪くなってしまう。また、受信側において、それぞれのチャネルにより受信したパケットのエラー判定による処理が必要となり効率が悪くなってしまう。
【０００９】
特許文献３に記載されたデータ転送方法では、送信側において、各パケットデータに順序等の管理情報を付加したパケットを並列的に転送し、受信側において、受信したパケットの管理情報に基づいて元のならびに組み立てる。すなわち、特許文献１、２等と同様に管理情報の付加やそれに応じた組み立て処理が余分な処理となり、効率が悪くなってしまう。
【００１０】
本発明は、上記のような点に鑑みてなされたものであり、異なる無線通信規格に準拠した複数の無線通信部を介してデータ転送を行う場合に、１つのデジタルデータを余分な処理を必要とせずに効率よく転送可能とすることを目的とする。
【課題を解決するための手段】
【００１１】
本発明に係るデータ転送方法は、データ送信装置及びデータ受信装置間で、異なる無線通信規格に準拠した２つの無線通信部を介してデータ転送を行うデータ転送方法であって、前記データ送信装置では、１つのデジタルデータに対して、一方の無線通信部では前記デジタルデータの前側からパケット単位で順次送信を行い、他方の無線通信部では前記デジタルデータの後側からパケット単位で順次送信することを特徴とする。
本発明に係る他のデータ転送方法は、データ送信装置及びデータ受信装置間で、異なる無線通信規格に準拠したｎ個（ｎは２の倍数）の無線通信部を介してデータ転送を行うデータ転送方法であって、前記データ送信装置では、前記ｎ個のうち２つの無線通信部を一組とし、１つのデジタルデータに対して、一方の無線通信部では前記デジタルデータの前側からパケット単位で順次送信を行い、他方の無線通信部では前記デジタルデータの後側からパケット単位で順次送信するようにし、前記ｎ個の無線通信部を介してｎ/２個のデジタルデータを並列的にデータ転送する構成にしたことを特徴とする。
本発明に係るデータ送信装置は、データ受信装置に対して、異なる無線通信規格に準拠した２つの無線通信部を介してデータ転送を行うデータ送信装置であって、１つのデジタルデータに対して、一方の無線通信部では前記デジタルデータの前側からパケット単位で順次送信を行い、他方の無線通信部では前記デジタルデータの後側からパケット単位で順次送信することを特徴とする。
本発明に係るデータ転送システムは、データ送信装置及びデータ受信装置間で、異なる無線通信規格に準拠した２つの無線通信部を介してデータ転送を行うデータ転送システムであって、前記データ送信装置が、１つのデジタルデータに対して、一方の無線通信部では前記デジタルデータの前側からパケット単位で順次送信を行い、他方の無線通信部では前記デジタルデータの後側からパケット単位で順次送信することを特徴とする。
【発明の効果】
【００１２】
本発明によれば、１つのデジタルデータを２つの無線通信部を介してパケット単位で順次送信するので、１回線での転送よりも高速化される。しかも、１つのデジタルデータに対して、一方の無線通信部では前記デジタルデータの前側からパケット単位で順次送信を行い、他方の無線通信部では前記デジタルデータの後側からパケット単位で順次送信するので、デジタルデータの分割を予め決めておく必要はなく自動的に決定され、通信環境による影響を小さくすることができ、また、少なくとも一つの通信が切断されても、それまでに転送し終えたデータを再送信することなく１つのデジタルデータの転送を終了することができる。これにより、データの転送の効率化とデータ転送の障害対策の両立を図ることができる。
【発明を実施するための最良の形態】
【００１３】
以下、添付図面を参照して、本発明の好適な実施形態について説明する。
（第１の実施形態）
図１は、第１の実施形態に係るデータ転送システムの概略構成例を示す図である。本実施形態に係るデータ通信システムは、データ送信装置の一例である画像入力装置１５と、データ受信装置の一例であるパーソナルコンピュータ（ＰＣ）１６とを有する。ここで、画像入力装置１５は、デジタルカメラ、デジタルビデオカメラ、カメラ付き携帯電話等である。
【００１４】
画像入力装置１５は、図１に示すように、IEEE 802.11aインタフェース１１と、IEEE 802.11gインタフェース１２とを有する。IEEE 802.11aインタフェース１１及びIEEE 802.11gインタフェース１２は、画像入力装置５５から取り外し可能なものであってもよい。また、ＰＣ１６は、図１に示すように、IEEE 802.11aインタフェース１３と、IEEE 802.11gインタフェース１４とを有する。IEEE 802.11aインタフェース１３及びIEEE 802.11gインタフェース１４は、ＰＣ１６から取り外し可能なものであってもよい。ここで、IEEE 802.11aインタフェース１１、１３は５ＧＨｚ帯の無線通信規格であるIEEE 802.11aに準拠した無線ＬＡＮインタフェースであり、IEEE 802.11gインタフェース１２、１４は２．４ＧＨｚ帯の無線通信規格であるIEEE 802.11gに準拠した無線ＬＡＮインタフェースである。
【００１５】
本実施形態において、画像入力装置１５は、IEEE 802.11aインタフェース１１及びIEEE 802.11gインタフェース１２を同時に使用して１つのデジタルデータ（画像データ等）を同時に送信することができるように構成されている。また、ＰＣ１６は、IEEE 802.11aインタフェース１３及びIEEE 802.11gインタフェース１４を同時に使用して１つのデジタルデータ（画像データ等）を同時に受信することができるように構成されている。
【００１６】
以下、本実施形態におけるデータ転送方法を説明する。図２（ａ）に示すように、画像入力装置１５では、１つのデジタルデータ（Ａ）に対して、前側からの処理２１によりIEEE 802.11aインタフェース１１を介してＰＣ１６のIEEE 802.11aインタフェース１３にパケット単位で順次無線によりデータ送信を行う。
【００１７】
それと並列して、画像入力装置１５では、デジタルデータ（Ａ）に対して、後側からの処理２２によりもう一方のIEEE 802.11gインタフェース１２を介して受信側ＰＣ２６のIEEE 802.11gインタフェース１４にパケット単位で順次無線によるデータ送信を行う。
【００１８】
ところで、このように１つのデジタルデータ（Ａ）を、前側からの処理２１と後側からの処理２２とで並列的に順次転送していくと、データが重複してしまう可能性がある箇所２３が生じる。
【００１９】
この重複を回避するため、次のような制御を行う。２つの無線通信部において、転送速度の早い方が１つのデジタルデータに対しての転送データの割合が大きい。すなわち、各無線通信部の転送速度の比率がａ：ｂであったならば、それぞれの無線通信部で転送するデータ分割の比率もａ：ｂとする。
【００２０】
そこで、１つのデジタルデータのデータ転送を行う際に、前側からの処理２１及び後側からの処理２２それぞれにおいて、データ分割の比率（すなわち転送速度の比率）ａ：ｂに応じて定まる最後のパケットを転送した時点で、終了制御により、終了通知を発行し送信する。この制御により、２つの無線通信部で問題なくデータ転送が行われた場合、１つのデジタルデータに対し同時に転送を終了することになる。
【００２１】
本実施形態に係るデータ転送方法では、送信前に予めデジタルデータを分割しておかなくても、自動的にデジタルデータを分割して転送したことと同様である。すなわち、そのときの各無線通信部での平均転送速度に応じてデジタルデータを分割したこととなり、最適な分割方法となる。
【００２２】
以上述べたデータ転送方法により、従来では無線転送において１つの無線通信規格での最大転送速度までしか望めなかったが、異なる無線通信規格に準拠した２つの無線通信部を介してデータ転送を行うことによって、IEEE 802.11aの最大転送速度と、IEEE 802.11gの最大転送速度とを足した転送速度まで速度の向上が望めることになり、従来より高速となる。
【００２３】
また、一方の通信が何らかの干渉を受け、転送速度が急激に減速しても、従来と同等かそれ以上の速度で転送が行われる。
【００２４】
さらに、一方の通信が切断されても、デジタルデータの両側から順次転送しているので、特別な処理をすることなくそれまでに転送し終えたデータを再送信せずに１つのデジタルデータの転送を終了することができる。
【００２５】
ＰＣ１６では、５ＧＨｚ帯の無線通信規格に準拠したIEEE 802.11aインタフェース１３によって受信したパケットを前側からの処理２４によって順次データ構成し、２．４ＧＨｚ帯の無線通信規格準拠したIEEE 802.11gインタフェース１４によって受信したパケットを後側からの処理２５によって順次データ構成することによって１つのデジタルデータ（Ｂ）の受信を完了する。
【００２６】
１つのデジタルデータ（Ｂ）の受信終了は、終了通知を受信したときである。その後は、次のデジタルデータの受信まで待機する。そのため、特別な制御は必要なく効率的である。
【００２７】
第１の実施形態では、データ送信装置とデータ受信装置がIEEE 802.11aインタフェース及びIEEE 802.11gインタフェースを有する場合を説明したが、IEEE 802.11aインタフェース及びIEEE 802.11gインタフェースは他の無線通信規格に準拠したネットワークインタフェースに置き換えることも可能である。従って、本実施形態は、IEEE 802.11aインタフェース及びIEEE 802.11gインタフェースに限定されるものではない。
【００２８】
（第２の実施形態）
上記第１の実施形態では、異なる無線通信規格に準拠した２つの無線通信部を介してデータ転送を行うことについて述べたが、２以上の複数の場合にも適用することができる。その場合には、異なる無線通信規格に準拠した２つの無線通信部を一組と考え、１つのデジタルデータに対して、一方の無線通信部ではデジタルデータの前側からパケット単位で順次送信を行い、他方の無線通信部ではデジタルデータの後側からパケット単位で順次送信するようにする。すなわち、異なる無線通信規格に準拠したｎ個（ｎは２の倍数）の無線通信部がある場合には、同時にｎ/２個のデジタルデータを転送することになる。
【００２９】
図３はデータ送信装置の一例である画像入力装置の構成例を示す図であり、図４はデータ受信装置の一例であるパーソナルコンピュータ（ＰＣ）の構成例を示す図である。本実施形態に係るデータ転送システムは、図３に示す画像入力装置と、図４に示すＰＣとから構成される。ここで、図３に示す画像入力装置は、デジタルカメラ、デジタルビデオカメラ、カメラ付き携帯電話等である。
【００３０】
図３に示す画像入力装置及び図４に示すＰＣは、それぞれ複数のネットワークインタフェースを有する。例えば、IEEE 802.11aインタフェース及びIEEE 802.11gインタフェースが有する。ここで、IEEE 802.11aインタフェースは５ＧＨｚ帯の無線通信規格であるIEEE 802.11aに準拠した無線ＬＡＮインタフェースであり、IEEE 802.11gインタフェースは２．４ＧＨｚ帯の無線通信規格であるIEEE 802.11gに準拠した無線ＬＡＮインタフェースである。
【００３１】
図３に示す画像入力装置は、ネットワークインタフェースの個数に対応するタスクを有する。各タスクには、デジタルデータの前側からの転送か、後側からの転送かということが予め設定されている。
【００３２】
各タスクにＣＰＵ（Central Processing Unit）３２が割り当てられた際、メモリ３１、ＣＰＵ３２、通信コントローラ３３がバス３４で互いにやり取りを行い、デジタルデータから読み込まれたデータは、対応するネットワークインタフェース（３４-１〜３４−ｎ）から転送される。これらを並列的に繰り返すことにより各デジタルデータの転送を終了する。転送するデータの重複が起こらないようにするため、最後のデータを転送しようとする際、終了通知を発行し１つのデジタルデータの転送を終了する。
【００３３】
図４に示すＰＣも、送信側と同様に、ネットワークインタフェースの個数に対応するタスクを有する。各タスクには、デジタルデータの前側からの受信か、後側からの受信かが予め設定されている。
【００３４】
各タスクにＣＰＵ４２が割り当てられた際、メモリ４１、ＣＰＵ４２、通信コントローラ４３がバス４４４で互いにやり取りを行い、ネットワークインタフェース（４５-1〜４５-ｎ）からのデータをコントロールし、デジタルデータを構成していく。このときの構成方法は、対応するデジタルデータに対し設定した方向から順に組み立てていく。これらを順次並列的に繰り返すことにより各デジタルデータの受信を終了する。終了通知を受信した時点で１つのデジタルデータの受信を終了し、次のオブジェクトに対する受信まで待機する。
【００３５】
以上述べたデータ送信装置とデータ受信装置を用いることにより、ｎ／２個のデジタルデータを同時に効率的に転送することができる。
【００３６】
（第３の実施形態）
図５は、第３の実施形態に係るデータ転送システムの概略構成例を示す図である。本実施形態に係るデータ通信システムは、データ送信装置の一例である画像入力装置５５と、データ受信装置の一例であるパーソナルコンピュータ（ＰＣ）５６とを有する。ここで、画像入力装置５５は、デジタルカメラ、デジタルビデオカメラ、カメラ付き携帯電話等である。
【００３７】
画像入力装置５５は、図５に示すように、IEEE 802.11aインタフェース５１、IEEE 802.11gインタフェース５２、記録媒体５７及びバッファ５８を有する。IEEE 802.11aインタフェース５１及びIEEE 802.11gインタフェース５２は、画像入力装置５５から取り外し可能なものであってもよい。また、ＰＣ５６は、図５に示すように、IEEE 802.11aインタフェース５３及びIEEE 802.11gインタフェース５４を有する。IEEE 802.11aインタフェース５３及びIEEE 802.11gインタフェース５４は、ＰＣ１６から取り外し可能なものであってもよい。ここで、IEEE 802.11aインタフェース５１、５３は５ＧＨｚ帯の無線通信規格であるIEEE 802.11aに準拠した無線ＬＡＮインタフェースであり、IEEE 802.11gインタフェース５２、５４は２．４ＧＨｚ帯の無線通信規格であるIEEE 802.11gに準拠した無線ＬＡＮインタフェースである。
【００３８】
第１の実施形態と同様に画像入力装置５５が具備するIEEE 802.11aインタフェース５１からＰＣ５６が具備するIEEE 802.11aインタフェース５３へ転送し、画像入力装置５５が具備するIEEE 802.11gインタフェース５２からＰＣ５６が具備するIEEE 802.11gインタフェース５４へ転送する。これらの２通信を並列的に行うことで、１通信による転送よりも高速にデータ転送が行われる。
【００３９】
本実施形態では、画像入力装置５５によって撮影された画像の画像データを即座にＰＣ５６に転送するものとする。デジタルカメラによって撮影された画像データは記録媒体５７に順次記録され、バッファ５８に空きがあれば順次画像データが記録媒体５７からバッファ５８へ読み出される。バッファ５８に画像データがある場合、本発明によるデータ転送方法を用いて、画像データの前側からの処理によりIEEE 802.11aインタフェース５１からIEEE 802.11aインタフェース５３へ転送を行い、後側からの処理によりIEEE 802.11gインタフェース５２からIEEE 802.11gインタフェース５４へ転送を行う。転送が終了したら、転送完了データをバッファ５８から削除する。これらを繰り返し行うことで，デジタルカメラによって撮影された画像データをリアルタイムにＰＣ５６へ転送することができる。
【００４０】
本実施形態に係るデータ転送方法を用いることで、１通信による転送よりも高速化され、バッファ５８の空きが早くなり撮影した画像データをよりリアルタイムに転送することができる。
【００４１】
第３の実施形態では、データ送信装置とデータ受信装置がIEEE 802.11aインタフェース及びIEEE 802.11gインタフェースを有する場合を説明したが、IEEE 802.11aインタフェース及びIEEE 802.11gインタフェースは他の無線通信規格に準拠したネットワークインタフェースに置き換えることも可能である。従って、本実施形態は、IEEE 802.11aインタフェース及びIEEE 802.11gインタフェースに限定されるものではない。
【００４２】
（その他の実施形態）
本発明は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても実施可能である。
【００４３】
この場合、本発明は、記憶媒体から読み出されたプログラムコード自体が上述した実施形態の機能を実現することになり、プログラムコード自体及びそのプログラムコードを記憶した記憶媒体を用いて実施されることになる。
【００４４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４５】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００４６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００４７】
【図１】第１の実施形態に係るデータ転送システムの概略構成例を示す図である。
【図２】異なる無線通信規格に準拠した２つの無線通信部を介してデータ転送を行うときのデータ転送方法を説明するための図である。
【図３】第２の実施形態に係るデータ送信装置の構成例を示す図である。
【図４】第２の実施形態に係るデータ受信装置の構成例を示す図である。
【図５】第３の実施形態に係るデータ転送システムの概略構成例を示す図である。
【符号の説明】
【００４８】
１１、１３  IEEE 802.11aインタフェース
１２、１４  IEEE 802.11gインタフェース
１５  ＰＣ（データ送信装置）
１６  ＰＣ（データ受信装置）
【図１】
2007049606.tif 000003
【図２】
2007049606.tif 000004
【図３】
2007049606.tif 000005
【図４】
2007049606.tif 000006
【図５】
2007049606.tif 000007